(57)【要約】      （修正有）【課題】掲示板の表・裏両面使用を可能とし、名刺カードと合わせ成果物の掲示により、個人の想いや少人数グループでのコミュニケーション促進ツールとなるフレキシブル掲示板ホルダーを提供する。【解決手段】上部に対象とするＡ４サイズ掲示板枠相当の幅と長さのスリットを持ち、掲示板１を上から差し込み挟持する横型掲示板ホルダーであり、正面にＰＣでラベル印刷した自分好みの名刺横デザインカード６−１を備える。また、中央で２分割した掲示板ホルダーの接合ダボ４−２を外せば、分割したホルダーがＡ５相当の小型横型掲示板ホルダー４−３となるほか、分割したホルダーをそのまま立てて左右に配置すれば、対象とする掲示板の側面を挟持する名刺縦デザインカードを持つ縦型掲示板ホルダーとなる。【選択図】図１
0003212685.tif 000002
【実用新案登録請求の範囲】
【請求項１】
上部にＡ４サイズ掲示板枠相当の幅と長さのスリットを持ち、掲示板を上から差し込み挟持する横型掲示板ホルダーで、正面にＰＣでラベル印刷したデザインカードまたは、自分好みの絵や彫刻が可能なボードを持つ横型フレキシブル掲示板ホルダー
【請求項２】
請求項１記載の横型掲示板ホルダーで、中央にて２分割した掲示板ホルダーの接合ピン（ダボ）を外せば、分割したホルダーの一つでＡ５相当小型横型掲示板ホルダーとなるほか、分割したホルダーを左右に配置して、掲示板側面を差し込み挟持する名刺縦デザインカードを持つ縦型掲示板ホルダーとして、Ａ４やＡ３サイズ掲示板に対応できる縦型フレキシブル掲示板ホルダー
【請求項３】
請求項１、２いずれか１項に記載のフレキシブル掲示板ホルダーで、ホルダーに傾斜を持たせ掲示板を観易く自立を可能とするため、ホルダー裏面に掲示板の安定と傾斜角を確保するよう差し込み棒長さと穴位置を決めた縦・横型掲示板ホルダーとこれに使用する掲示板一式をフレキシブル掲示板とした
【考案の詳細な説明】
【技術分野】
【０００１】
本考案は、Ａ３以下のフォトフレーム（写真額縁）やホワイトボード掲示板を、自立した形で掲示するため、ホルダーの上部または、左・右のホルダースリットに掲示板を差し込み挟持する自立型掲示板では、ホワイトボードやフォトフレーム裏面に樹脂製薄型ミラーを装着すれば、掲示板の両面利用で個人の想いや少人数グループでのコミュニケーション促進用とした
【背景技術】
【０００２】
小型シートなどの掲示板については、下記特許文３献などに提案されており、
ＰＣを使ったモニター画像との組み合わせに関する特許情報は用途が限定され、ＩＴの進歩もあり情報量が多い場合は、特許文献４などネットワークを使った電子掲示板が多く使われ、掲示板を使った宣伝・コミュニケーション用を、特許文献４に示した。
【先行技術文献】
【特許文献】
【０００３】
【特許文献１】特開2012-192723号公報
【特許文献２】実用新案  第3030408号公報
【特許文献３】特開2006-106953号公報
【特許文献４】実用新案  第 3208519号公報
【考案の概要】
【０００４】
継続して内容を伝えるには、ホワイトボードでの手書きやＰＣで印刷した表示シートを張り出す、またはフォトフレームやクリアホルダーで保護・収納した掲示板が考えられ、この掲示板をホルダーの上部または、左・右スリットに差し込み挟持する掲示板ホルダーに傾斜を持たせ観やすくするため、木製ホルダー裏面に直接支持棒を差し込みまたは丁番で支持板を取り付ける方法を検討すると共に、愛着を持って貰うため、左右ホルダー正面上部にロゴなどをレーザ光焼き付け、また正面には好みのデザインを印刷したカードを両面テープでホルダーに貼り付け、この掲示板一式を、フレキシブル掲示板ホルダーとした
【０００５】
掲示板枠の厚さや大きさとのバランスから、はがきサイズのデザインカードを持つ掲示板ホルダーでは、スリット幅を広げ、Ａ２横ホウィトボードやＡ３縦の写真額縁を左右のホルダーで容易に挟持可能とした。
【考案が解決しようとする課題】
【０００６】
イ  Ａ３やＡ４サイズのホワイトボードやフォトフレームは、単独壁掛け型などで多く使用されおり、裏面は掲示に必要な吊り紐や支持板取り付けで、利用されていない、
ロ. 名刺やはがきサイズカードを持つ掲示板挟持ホルダーを業者に頼み製作すると高価となり、デザインや構造に工夫を凝らし、価値を感じて貰えるものにする必要があった  
ハ. 会社や団体で使用して貰うためには、品質重視で専門業者に製作を依頼すると、小ロットではコスト高の問題が生ずる
【課題を解決するための手段】
【０００７】
1.  ホワイトボードやフォトフレーム裏面に、薄型ミラーを取り付けると、ボードの両面使用が可能となり、家庭や小グループ活動でコミュニケーション促進に役立つ
２. 横型掲示板ホルダー中央で２分割した掲示板ホルダーの接合ピン（ダボ）を外せば、分割したホルダーの一つでＡ５以下の小型掲示板ホルダーとなるほか、ホルダーを左・右に配置して、掲示板の側面を差し込み挟持することで、名刺縦デザインカードを持つＡ４やＡ３サイズ掲示板ホルダーとなり、、利用者の要望に応えられる
３. 展示会への出品やクラウドファンディングなどで賛同する団体や仲間を募り、業種別などで名刺デザイン共用化を図るほか、需要を掘り起こし、ホルダー製作のロットサイズを大きくすることや、専門業者との協働体制を構築すれば、品質と単価のバランスが図れる
【考案の効果】
【０００８】
本考案のフレキシブル掲示板ホルダーは、自立型の特徴を活かし、ホワイトボードやフォトフレーム裏面に、薄型ミラーを装着することで掲示板の表・裏両面使用を可能とし、名刺カードと合わせ成果物の掲示により、個人の想いや少人数グループでのコミュニケーション促進ツールとなる
【０００９】
宣伝を含む会社・団体向けでは、展示会などでの宣伝ツールとして、名刺やはがきサイズホルダーのデザインにより、目的とする宣伝効果の向上だけでなく、その後の支援に向けた取り組みへの足掛かりが産まれる
【００１０】
フレキシブル掲示板の実効性を高めるため、クラウドファンディングなどで賛同した団体や個人に、本開発品を提供して会員になって貰い、利用者の立場から使い勝手やコンテンツ製作などで協働化を図り、フレキシブル掲示板の普及に役立てる
【図面の簡単な説明】
【００１１】
【図１】・・・名刺横型フレキシブル掲示板ホルダー正面図
【図２】・・・名刺横型フレキシブル掲示板ホルダー側面図
【図３】・・・２分割名刺横型掲示板ホルダー裏面姿図
【図４】・・・名刺横デザイン小型掲示板ホルダー姿図
【図５】・・・左・右縦型フレキシブル掲示板ホルダー正面図
【考案を実施するための形態】
【００１２】
（第１実施形態）
掲示板を自立掲示する図１〜５に示すフレキシブル掲示板ホルダーの特徴を活かして、フォトフレームやホワイトボード掲示板裏面に、樹脂製薄型ミラーの取り付け、自己の写真や伝言および姿見を通じて、家庭や小グループでのコミュニケーション促進に役立てるとして、製作に関する勉強会を開催し仲間を募り、事業化の感触を掴む。
【００１３】
（第２実施形態）  
企業や団体の宣伝・展示用を想定して、図５に示す左・右縦型掲示板ホルダーで、名刺やはがきデザインを業種などから容易に選択できるよう専門業者と提携すると共に、展示会などで使って貰い、アンケート調査の評価を得て、受注の見込みが立てば、地域木工所の協力も得て、フレキシブル掲示板の商品化目途を立てる  
【００１４】
掲示板ホルダーに特徴を持たせるため、美術・生活デザイン学部を持つ大学やスポンサー企業の賛同も得て、ホルダーやカードデザインのコンペなどを企画、フレキシブル掲示板の衆知を図るほか、掲示板はＡ１横ホワイトボードやＡ３縦の写真額縁なども挟持可能として、地域の活動家や写真愛好家などに喜ばれるものとして、有望な需要家が見つかれば他の地域での普及を図る
【００１５】
（第３実施形態）
第２実施形態のフレキシブル掲示板普及に目途が立ち、情報処理技術者などの賛同が得られれば, 予め準備した掲示板関連コンテンツを、自身のタブレットＰＣで選択して、ＨＤＭＩ（登録商標）ケーブルで接続した外部モニター（ＴＶ）に映写することで、宣伝やコミュニケーションの効果を高め、付加価値の高い
フレキシブル掲示板システムを実現する
【産業上の利用可能性】
【００１６】
第二実施形態を通じて、自己実現意欲を持つ個人有志やグループ活動のリーダに展示会などで計画実現に向けて利用いただき、個人向けに目途が立てば、第三実施形態が可能となり、地域の観光施設や園芸店、住宅リフォーム店などに掲示板と連携した映像による宣伝・コミュニケーション促進ツールとして集客効果が見込め、ＰＣ利用フレキシブル掲示板システムのコンテンツ製作の可能性も拓け、地域活性化に向けた取り組みが可能となる  
【符号の説明】
【００１７】
１  表・裏両面利用可能なフォトフレーム（額縁）またはホワイトボード掲示板
２  Ａ５以下小型フォトフレーム
２−１フォトフレーム裏面板抑えノブ
３  薄型樹脂製ミラー
４  横型掲示板ホルダー
４−１  横一体型掲示板ホルダー
４−２  ２分割ホルダー結合用ダボ
４−３  ２分割横小型掲示板ホルダー
４−４  横一体型掲示板ホルダー裏面
５  左・右縦型掲示板ホルダー
５−１  名刺縦サイズホルダー
５−２  はがき縦サイズホルダー
６  デザインカード（ラベル印刷シール）
６−１  名刺横デザインカード
６−２  名刺縦デザインカード
６−３  はがき縦デザインカード
６−４  名刺上部ロゴ印刷ラベル
７  掲示板ホルダー傾斜自立支持具
７−１ホルダー裏面差し込み支持棒
７−２ホルダー裏面差し込み棒穴
７−３ホルダー裏面支持板接合用蝶番
７−４ホルダー蝶番接合ホルダー支持板
【図１】
0003212685.tif 000003
【図２】
0003212685.tif 000004
【図３】
0003212685.tif 000005
【図４】
0003212685.tif 000006
【図５】
0003212685.tif 000007
【手続補正書】
【提出日】平成29年7月31日(2017.7.31)
【手続補正１】
【補正対象書類名】実用新案登録請求の範囲
【補正対象項目名】全文
【補正方法】変更
【補正の内容】
【実用新案登録請求の範囲】
【請求項１】
上部に対象とするＡ４サイズ掲示板枠相当の幅と長さのスリットを持ち、掲示板を上から差し込み挟持する横型掲示板ホルダーで、正面にＰＣでラベル印刷した自分好みの名刺横デザインカードを持つ横型フレキシブル掲示板ホルダー。
【請求項２】
請求項１記載のフレキシブル掲示板ホルダーで、中央にて２分割した掲示板ホルダーの接合ピンを外せば、分割したホルダーの一つでＡ５相当小型横型掲示板ホルダーとなるほか、分割したホルダーをそのまま立てて左右に配置し、対象とする掲示板側面を挟持する名刺縦デザインカードを持つ縦型掲示板ホルダーとして、Ａ４やＡ３サイズ掲示板に対応できる縦型フレキシブル掲示板ホルダー。
【請求項３】
請求項１、２いずれか１項に記載のフレキシブル掲示板ホルダーで、ホルダー裏面に掲示板の自立と傾斜を持たせ観易くするため、差し込み棒長さと穴位置を決めたフレキシブル掲示板ホルダー。